(57)【要約】【課題】野外に敷設された通信ケーブル上における動物の移動を一層確実に防止する。【解決手段】栗鼠が、回転体１１の板状部材に触れず、回転体１１の円筒体に乗ることができても、回転体１１の長さは短いので、例えば、栗鼠の前足と後足は別々の回転体１１上に乗る。また、回転体１１は軽いので、すばやく回転する。例えば、前足の回転体１１と後足の回転体１１は、互いに異なる回転方向にすばやく回転する。また、同じ方向に回転したとしても、加重の差異により、回転速度が相違する。よって、栗鼠はバランスを崩しやすく、高い確率で落下する。【選択図】図１
2015159651.tif 000002
【特許請求の範囲】
【請求項１】
野外に敷設された通信ケーブルの上を動物が移動するのを防止する通信ケーブル保護装置であって、
通信ケーブルを内包し且つ回転可能なように取り付けられる複数の回転体と、
前記通信ケーブルに沿って移動しないように通信ケーブルに取り付けられ、前記複数の回転体が通信ケーブルに沿って移動しようとする際に回転体に当接して当該回転体の移動を防止する２以上の回転体移動防止部品からなる回転体移動防止手段と
を有することを特徴とする通信ケーブル保護装置。
【請求項２】
前記回転体移動防止手段は、
前記複数の回転体を２以上のグループに分割した場合の隣り合うグループ間に配置される回転体移動防止部品を含む
ことを特徴とする請求項１記載の通信ケーブル保護装置。
【発明の詳細な説明】
【技術分野】
【０００１】
本発明は、野外に敷設された通信ケーブル上における動物の移動を一層確実に防止できる通信ケーブル保護装置に関するものである。
【背景技術】
【０００２】
従来においては、山間部などの野外に敷設される通信ケーブルが動物に噛まれて損傷するのを防止すべく、通信ケーブル保護装置が開発された。
【０００３】
図７において、符号２は、通信ケーブルであり、通信ケーブル保護装置は筒体３１と尖形状部材３２を備える。例えば、栗鼠が樹木から被覆２０に乗り移り、さらに、被覆のない剥き出し部分２１に移動しようとする。栗鼠は、尖形状部材３２を避けて、筒体３１に乗ったとしても、その際の動きでバランスを欠く。また、筒体３１が回転するので、栗鼠は落下する。つまり栗鼠は、剥き出し部分２１に移動できず、その部分（通信ケーブル２）を噛むことができない。
【先行技術文献】
【特許文献】
【０００４】
【特許文献１】特開２０１３−９０５００号公報
【発明の概要】
【発明が解決しようとする課題】
【０００５】
しかし、例えば、栗鼠が比較的軽い場合や、筒体３１が比較的重い場合は、筒体３１はすばやく回転しない。そのため、栗鼠が剥き出し部分２１に移動でき、その部分を噛む可能性がある。
【０００６】
本発明は、上記の課題に鑑みてなされたものであり、その目的とするところは、野外に敷設された通信ケーブル上における動物の移動を一層確実に防止できる通信ケーブル保護装置を提供することにある。
【課題を解決するための手段】
【０００７】
上記の課題を解決するために、本発明は、野外に敷設された通信ケーブルの上を動物が移動するのを防止する通信ケーブル保護装置であって、通信ケーブルを内包し且つ回転可能なように取り付けられる複数の回転体と、前記通信ケーブルに沿って移動しないように通信ケーブルに取り付けられ、前記複数の回転体が通信ケーブルに沿って移動しようとする際に回転体に当接して当該回転体の移動を防止する２以上の回転体移動防止部品からなる回転体移動防止手段とを有することを特徴とする。
【発明の効果】
【０００８】
本発明の通信ケーブル保護装置によれば、野外に敷設された通信ケーブル上における動物の移動を一層確実に防止できる。
【図面の簡単な説明】
【０００９】
【図１】第１の実施の形態に係る通信ケーブル保護装置の外観図である。
【図２】第２の実施の形態に係る通信ケーブル保護装置の外観図である。
【図３】図３（ａ）は、回転体１１の正面図、図３（ｂ）は、側面図である。
【図４】変形例に係る各回転体１１の正面図である。
【図５】図５（ａ）は、別の変形例に係る回転体１１の正面図、図５（ｂ）は、側面図である。
【図６】図６（ａ）は、さらに別の変形例に係る回転体１１の正面図、図６（ｂ）は、側面図である。
【図７】従来の通信ケーブル保護装置の外観図である。
【発明を実施するための形態】
【００１０】
以下、本発明の実施の形態について図面を参照して説明する。
【００１１】
［第１の実施の形態］
図１は、第１の実施の形態に係る通信ケーブル保護装置の外観図である。
【００１２】
通信ケーブル保護装置１は、野外に敷設された通信ケーブルの上を動物が移動するのを防止する通信ケーブル保護装置であって、通信ケーブル２を内包し且つ回転可能なように取り付けられる複数の回転体１１と、通信ケーブル２に沿って移動しないように通信ケーブル２に取り付けられ、複数の回転体１１が通信ケーブル２に沿って移動しようとする際に回転体に当接して回転体の移動を防止する２個の回転体移動防止部品１２からなる回転体移動防止手段とを有することを特徴とする。
【００１３】
回転体１１は複数あるので、通信ケーブル２の長さ方向における１個あたりの寸法を短く、また軽くできる。また、回転体１１は短くても、その数により、通信ケーブル２において所望の長さの部分を占めることができる。この長さは、近隣に生息する動物の大きさに応じた長さにすることができる。
【００１４】
回転体１１は、例えば、円筒体に４つの板状部材を立設したものである。板状部材は、例えば、９０度づつの角度を空けて配置される。
【００１５】
回転体移動防止部品１２は、例えば、円筒体に１つの板状部材を立設したものである。板状部材は、例えば、上向きに設けられる。図で手前側の回転体移動防止部品１２は、各回転体１１が通信ケーブル２の揺れなどにより手前方向に移動しようとした際、最も手前の回転体１１に当接し、移動を防止する。奥側の回転体移動防止部品１２は、各回転体１１が逆方向に移動しようとした際、最も奥の回転体１１に当接し、移動を防止する。
【００１６】
図１において、例えば、栗鼠が樹木から被覆２０に乗り移り、さらに、被覆のない剥き出し部分２１に移動しようとする。このとき、手前の回転体移動防止部品１２の板状部材が上向きに立設しているので、栗鼠が板状部材を乗り越えられず、引き返すことが期待できる。
【００１７】
一方、場合によっては、栗鼠は、回転体移動防止部品１２の板状部材を跳躍して乗り越える。このとき、栗鼠が回転体１１の板状部材に触れてバランスを崩し、落下することが期待できる。
【００１８】
仮に、回転体１１の板状部材に触れず、栗鼠が回転体１１の円筒体に乗ることができても、回転体１１は短いので、例えば、栗鼠の前足と後足は別々の回転体１１上に乗る。また、回転体１１は軽いので、すばやく回転する。例えば、前足の回転体１１と後足の回転体１１は、互いに異なる回転方向にすばやく回転する。また、同じ方向に回転したとしても、加重の差異により、回転速度が相違する。よって、栗鼠はバランスを崩しやすく、高い確率で落下すると考えられる。よって、剥き出し部分２１が噛まれて損傷するのを防止できる。
【００１９】
なお、栗鼠の足の裏は粘液で覆われているので、回転体１１の表面が滑らかであると、栗鼠の足裏が表面に張り付いてしまう可能性がある。よって、回転体１１の表面に例えば、細かい凹凸を設けて空気が混入するようにし、栗鼠の足裏が張り付くのを防止することが好ましい。
【００２０】
したがって、第１の実施の形態に係る通信ケーブル保護装置１によれば、回転体１１を複数設けたことで、各回転体１１を小さく軽くでき、栗鼠などの動物がバランスを崩しやすく、もって高い確率で落下させることができる。その結果、動物の移動を一層確実に防止できる。
【００２１】
［第２の実施の形態］
図２は、第２の実施の形態に係る通信ケーブル保護装置の外観図である。ここでは、第１の実施の形態との差異を説明する。
【００２２】
第２の実施の形態に係る通信ケーブル保護装置１Ａの回転体移動防止手段は、複数の回転体１１を２以上のグループに分割した場合の隣り合うグループ間に配置される回転体移動防止部品１２を含む。図２では、グループ数は３であり、よって、隣り合うグループ間に配置される回転体移動防止部品１２の数は２である。
【００２３】
通信ケーブル２は、ケーブルである以上、たわみが生じる。たわみが生じると、各回転体１１は、重力により、たわみの最下点に移動しようとする。第１の実施の形態に係る通信ケーブル保護装置１にあっては、このとき、最下点の回転体１１に対し、他の回転体１１の重量の大部分が加わる。つまり、隣の回転体１１との接触により強い摩擦力が生じ、回転体１１は回転しにくくなる。
【００２４】
そこで、第２の実施の形態に係る通信ケーブル保護装置１Ａでは、隣り合うグループ間の回転体移動防止部品１２を設けることにより、最下点の回転体１１に加わる重量を分散できる。よって、回転体１１が回転しにくくなるのを防止できる。
【００２５】
図３は、図１、図２に示した回転体１１の正面図、側面図であり、例えば、寸法Ａは５０ｍｍ、Ｂは４０ｍｍ、Ｃは５０ｍｍである。
【００２６】
また、図４に示すように、回転体１１は、板状部材の数を３（図４（ａ））や５（図４（ｂ））としてもよい。また、捻れをもつ板状部材を用いてもよく（図４（ｃ））、また、円筒体に代え、中空の直方体を用いてもよい（図４（ｄ））。  
【００２７】
また、図５に示すように、回転体１１には板状部材を設けず、中空の球体としてもよい。また、図６に示すように、回転体１１は、ソロバンの駒のような形状としてもよい。
【符号の説明】
【００２８】
１、１Ａ…通信ケーブル保護装置
２…通信ケーブル
１１…回転体
１２…回転体移動防止部品
【図１】
2015159651.tif 000003
【図２】
2015159651.tif 000004
【図３】
2015159651.tif 000005
【図４】
2015159651.tif 000006
【図５】
2015159651.tif 000007
【図６】
2015159651.tif 000008
【図７】
2015159651.tif 000009